(57)【要約】【課題】鞄やハンドバックなどに入れて手軽に持ち運ぶことができ、時と場所を選ばずに自然界に存在する植物の芳香を気軽に楽しむことのできる携帯用アロマカプセル。【解決手段】芳香源を収容する容器２，３と、その容器２，３内の芳香を外部へ放出する放出手段４を備えている携帯用アロマカプセルであって、芳香源が、植栽床材に植えられた植物Ｐである。【選択図】        図１
2005000065.tif 000002
【特許請求の範囲】
【請求項１】
芳香源を収容する容器と、その容器内の芳香を外部へ放出する放出手段を備えている携帯用アロマカプセルであって、
前記芳香源が、植栽床材に植えられた植物である携帯用アロマカプセル。
【請求項２】
前記容器が、前記植栽床材を収容する植栽容器と、その植栽容器に対して着脱自在で、前記植物の上部を覆う上部容器で構成されている請求項１に記載の携帯用アロマカプセル。
【請求項３】
前記上部容器が透明である請求項２に記載の携帯用アロマカプセル。
【請求項４】
前記放出手段が、前記上部容器に設けられた手動ポンプである請求項２または３に記載の携帯用アロマカプセル。
【請求項５】
前記植物に芳香促進用の刺激を付与する芳香促進手段が、前記容器に設けられている請求項１〜４のいずれか１項に記載の携帯用アロマカプセル。
【発明の詳細な説明】
【０００１】
【発明の属する技術分野】
本発明は、芳香源を収容する容器と、その容器内の芳香を外部へ放出する放出手段を備えている携帯用アロマカプセルに関する。
【０００２】
【従来の技術】
このような携帯用アロマカプセルは、その代表的なものとして、芳香源である香水を収容した香水瓶が知られている。
しかし、芳香源である香水は、原料は別として、人工的な加工により造られたものであるから、自然界に存在する芳香とは異なり、必ずしも人の精神を自然にかつ安らかに癒すとは言い難く、また、費用的にも高価なものが多い。
【０００３】
このような問題を解消するものとして、従来、鉢に植えた芳香性の観賞用植物を透明なケース内に収容し、そのケースに開閉蓋付きの通気口を設け、必要な場合、開閉蓋を開けて通気口から放出される芳香を楽しむように構成した植物観賞用ケースが提案された（例えば、特許文献１参照）。
【０００４】
【特許文献１】
特開平６−１２７５８７号公報（図１）
【０００５】
【発明が解決しようとする課題】
しかし、上記公報に開示の植物観賞用ケースは、鉢に植えた植物を鉢ごと収容するほど大きなものであり、したがって、住居内に置いておくには適しているが、例えば、鞄やハンドバックに入れて手軽に持ち運び、時と場所を選ばずに植物の芳香を気楽に楽しむというものではない。
【０００６】
本発明は、鞄やハンドバックなどに入れて手軽に持ち運ぶことができ、時と場所を選ばずに自然界に存在する植物の芳香を気軽に楽しむことのできる携帯用アロマカプセルを提供するものである。
【０００７】
【課題を解決するための手段】
請求項１の発明の特徴構成は、芳香源を収容する容器と、その容器内の芳香を外部へ放出する放出手段を備えている携帯用アロマカプセルであって、前記芳香源が、植栽床材に植えられた植物であるところにある。
【０００８】
請求項１の発明の特徴構成によれば、携帯用アロマカプセルの容器に収容される芳香源が、植栽床材に植えられた植物であり、その植物の芳香を容器の外部へ放出する放出手段を備えているので、自然界に存在する植物の芳香を実際に植栽されている状態で楽しむことができ、しかも、携帯用であるから、例えば、鞄やハンドバックなどに入れて手軽に持ち運ぶことができる。
したがって、時や場所を選ばずに自然な状態で植物の芳香を気軽に楽しむことができ、自然でかつ安らかな精神的な癒しを得ることができる。
【０００９】
請求項２の発明の特徴構成は、前記容器が、前記植栽床材を収容する植栽容器と、その植栽容器に対して着脱自在で、前記植物の上部を覆う上部容器で構成されているところにある。
【００１０】
請求項２の発明の特徴構成によれば、植物を収容する容器が、植栽床材を収容する植栽容器と、その植栽容器に対して着脱自在で、植物の上部を覆う上部容器で構成されているので、上部容器を取り外すことによって、植栽床材への給水や植物の管理も容易に行うことができ、したがって、適切な管理によって植物の芳香を長期間にわたって安価に楽しむことができる。
【００１１】
請求項３の発明の特徴構成は、前記上部容器が透明であるところにある。
【００１２】
請求項３の発明の特徴構成によれば、上部容器が透明であるから、その上部容器を植栽容器に取り付けたままで植物を観賞することができ、いちいち上部容器を取り外すことなく、植物の観賞と芳香を同時に楽しむことができる。
【００１３】
請求項４の発明の特徴構成は、前記放出手段が、前記上部容器に設けられた手動ポンプであるところにある。
【００１４】
請求項４の発明の特徴構成によれば、容器内の芳香を外部へ放出する放出手段が手動ポンプであるから、電池などを必要とせずに植物の芳香を楽しむことができ、しかも、その手動ポンプは、芳香を放出する植物の葉の部分を覆っている上部容器に設けられているので、手動ポンプの作動によって植物の芳香を効果的に外部へ放出させて、その芳香を十分に楽しむことができる。
【００１５】
請求項５の発明の特徴構成は、前記植物に芳香促進用の刺激を付与する芳香促進手段が、前記容器に設けられているところにある。
【００１６】
請求項５の発明の特徴構成によれば、植物に芳香促進用の刺激を付与する芳香促進手段が、その容器に設けられているので、必要に応じて芳香促進手段を使用し、植物に対して芳香の放出を促進させて、その芳香を楽しむことができる。
【００１７】
【発明の実施の形態】
本発明による携帯用アロマカプセルの実施の形態を図面に基づいて説明する。
この携帯用アロマカプセルは、図１および図２に示すように、植栽床材１を収容する植栽容器２と、その植栽容器２の上方開口部に対して着脱自在で透明な上部容器３との２つの容器２，３を備え、かつ、透明な上部容器３の上部には、容器３内の芳香を外部へ放出する放出手段としての手動ポンプ４を備えていて、携帯可能なように、全体の高さが１０〜１５ｃｍ程度に設定されている。
植栽容器２は、例えば、有底のほぼ円筒形状で２５〜３５ｃｃ程度の容積を有し、合成樹脂により形成されていて、植栽容器２内には、植栽床材１が収容されている。
【００１８】
植栽床材１は、赤玉土、鹿沼土、腐葉土などの天然の植栽用土は勿論のこと、パーミキュライト、パーライト、ウレタン樹脂やフェーノール樹脂などの各種発泡樹脂材、ロックウール、ハイドロボールなどの人工の植栽用土であり、好ましくは、散乱し難いようにブロック状に成形され、あるいは、適当な袋などに収納されていて、その植栽床材１に芳香源としての植物Ｐ、例えば、ミント、バジル、レモンバーム、カモミール、クレソンなどの芳香性植物の幼苗（高さ３〜５ｃｍ程度）が植えられている。
透明な上部容器３も合成樹脂により形成され、ほぼ円筒形状で３０〜５０ｃｃ程度の容積を有し、植栽容器２の上方開口部に対して螺合により着脱自在に構成され、植栽容器２の上方開口部に取り付けた状態で、植物Ｐの上部を完全に覆うように構成されている。
【００１９】
手動ポンプ４は、伸縮自在なジャバラ５ａと放出ノズル５ｂを有するジャバラ式のポンプ本体５を備え、そのポンプ本体５が、上部容器３の内部空間に連通する状態で、上部容器３の上面に取り付けられた円筒状の外筒６を介して取り付けられ、かつ、その外筒６内に配置されている。
そして、有底円筒状の内筒７が、その底部を上方にして外筒６に対し上下動可能に内嵌され、内筒７に設けられた貫通孔７ａからポンプ本体５の放出ノズル５ｂが突出されていて、内筒７を下方へ押圧することにより、上部容器３内の芳香が放出ノズル５ｂから放出され、押圧力を解除することにより、ジャバラ５ａの復元力で内筒７が元の位置へ弾性的に復帰するように構成されている。
これらポンプ本体５、外筒６、内筒７も全て合成樹脂により形成され、さらに、上部容器３内には、植物Ｐに芳香促進用の刺激を付与する芳香促進手段としての合成樹脂製の球８が２〜３個程度収容されている。
【００２０】
つぎに、この携帯用アロマカプセルの使用方法について説明する。
通常、植栽容器２の上方開口部に上部容器３を取り付け、鞄やハンドバックなどに入れて携帯し、芳香を楽しむ際には、内筒７の上面を指で押圧する。
すると、上部容器３やポンプ本体５内の空気が、植物Ｐから放出された芳香と共に放出ノズル５ｂから容器２，３の外へ放出されるので、例えば、放出ノズル５ｂに鼻を近づけて植物Ｐの芳香を楽しむことができる。
そして、必要な場合には、内筒７を押圧する前に、容器２，３を振って振動を与えると、容器２，３内の球８が植物Ｐに接触し、植物Ｐに芳香促進用の刺激を付与するので、その後、内筒７を押圧することにより、より強い芳香を楽しむことができる。
【００２１】
植栽床材１に給水する際には、植栽容器２から上部容器３を取り外し、植栽床材１を露出させて給水するのであり、それによって植栽床材１への給水や植物Ｐの管理なども容易に行うことができ、また、上部容器３を取り外して室内に設置すれば、室内全体をかすかな芳香で満たすこともできる。
そして、上部容器３を取り外して、定期的に日当たりのよい場所や風通しのよい場所に置いておくことで、植物Ｐの生長を促進することができ、長期間にわたって植物Ｐの芳香を楽しむことができるとともに、異なる種類の植物Ｐを植えた携帯用アロマカプセルを複数個所有して、そのときの気分などに応じて好みの芳香を楽しむなど、種々の楽しみ方が考えられる。
【００２２】
〔別実施形態〕
（１）先の実施形態では、植栽容器２と上部容器３を合成樹脂により形成した例を示したが、これら両容器２，３を形成する材料については、特に合成樹脂に限るものではない。
例えば、植栽容器２については、ガラス、セラミックス、あるいは、金属などにより形成することができ、上部容器３についても同様で、不透明な材料で形成することもできるが、この上部容器３については植物Ｐを観賞できるように透明な方がよく、したがって、先の実施形態のように透明な合成樹脂で形成するか、あるいは、透明なガラスなどで形成するのが好ましい。
また、両容器２，３の形状についても、先の実施形態のような円筒状に限るものではなく、例えば、断面が三角形あるいは多角形の筒状などに形成することができる。
【００２３】
（２）先の実施形態では、放出手段の一例として手動式ポンプ４を示したが、例えば、電池などで作動する電動式のポンプを使用して実施することもできる。
また、手動ポンプ４を使用する場合、先の実施形態で示したジャバラ式のポンプに限るものではなく、ジャバラ式に代えて、ピストン式、スポイド式、あるいは、エアゾール式などの各種構成の手動ポンプ４を使用することができ、また、その手動ポンプ４を形成する材料についても、特に合成樹脂に限るものではなく、種々の材料により手動ポンプ４を形成して実施することができる。
【００２４】
（３）先の実施形態では、芳香促進手段の一例として合成樹脂製の球８を示したが、サイコロのような立方体や直方体をはじめとして、各種形状のものを使用することができ、さらに、その材料や容器２，３内に収容する個数についても選択自由であり、異なる形状のものを混在させて収容することもできる。
さらに、この芳香促進手段は、植物Ｐに刺激を与えて芳香の放出を促進できるものなら如何なるものであってもよく、例えば、芳香促進手段として電池式の小さなバイブレータを使用し、そのバイブレータを植栽床材１内に埋設したり、植物Ｐの近傍に配置しておいて、植物Ｐに振動を与えることによって芳香の放出を促進するように構成することもできる。
【図面の簡単な説明】
【図１】携帯用アロマカプセルの斜視図
【図２】携帯用アロマカプセルの縦断面図
【符号の説明】
１        植栽床材
２        植栽容器
３        上部容器
４        放出手段としての手動ポンプ
８        芳香促進手段
Ｐ        植物
【図１】
2005000065.tif 000003
【図２】
2005000065.tif 000004